(57)【要約】  無線通信システムでは、コアネットワークからセカンダリセルグループを経由するとともにセカンダリセルグループに含まれるgNB100Bからマスタセルグループに含まれるeNB100Aに分岐するスプリットベアラが設定され、当該スプリットベアラを経由してユーザ装置にデータが送信される。gNB100Bは、ユーザ装置とgNB100Bとの間の無線リソースを用いたスプリットベアラを構成するか否かを示すUse of SCG Radio ResourceをeNB100Aに送信する。eNB100Aは、受信したUse of SCG Radio Resourceに基づいて、スプリットベアラを設定する。
2019097652.tif 000002
【特許請求の範囲】
【請求項１】
コアネットワークからセカンダリセルグループを経由するとともに前記セカンダリセルグループに含まれる他の無線基地局からマスタセルグループに含まれる無線基地局に分岐するスプリットベアラが設定され、前記スプリットベアラを経由してユーザ装置にデータが送信される無線通信システムであって、
前記他の無線基地局は、前記ユーザ装置と前記他の無線基地局との間の無線リソースを用いた前記スプリットベアラを構成するか否かを示すベアラ構成通知を前記無線基地局に送信する通知送信部を備え、
前記無線基地局は、
前記ベアラ構成通知を受信する通知受信部と、
前記通知受信部が受信した前記ベアラ構成通知に基づいて、前記スプリットベアラを設定するベアラ設定部と
を備える無線通信システム。
【請求項２】
前記無線基地局は、前記ユーザ装置と前記他の無線基地局との間の無線リソースを用いた前記スプリットベアラを構成するか否かを指示するベアラ構成指示を前記他の無線基地局に送信する指示送信部を備え、
前記他の無線基地局は、前記ベアラ構成指示を受信する指示受信部を備え、
前記通知送信部は、前記指示受信部が受信した前記ベアラ構成指示に応じて、前記ベアラ構成通知を前記無線基地局に送信する請求項１に記載の無線通信システム。
【請求項３】
前記指示送信部は、前記他の無線基地局を追加する手順において、前記ベアラ構成指示を送信する請求項２に記載の無線通信システム。
【請求項４】
前記指示送信部は、前記他の無線基地局の構成を変更する手順において、前記ベアラ構成指示を送信する請求項２に記載の無線通信システム。
【請求項５】
前記通知送信部は、前記他の無線基地局の構成変更を要求する手順において、前記ベアラ構成通知を送信する請求項１に記載の無線通信システム。
【請求項６】
前記ベアラ構成通知は、前記コアネットワーク、前記他の無線基地局、前記無線基地局及び前記ユーザ装置の区間のみで設定される前記スプリットベアラを用いるか否かを示す請求項１乃至５の何れか一項に記載の無線通信システム。
【請求項７】
コアネットワークからセカンダリセルグループを経由するとともに前記セカンダリセルグループに含まれる無線基地局からマスタセルグループに含まれる他の無線基地局に分岐するスプリットベアラが設定され、前記スプリットベアラを経由してユーザ装置にデータが送信される無線通信システムに含まれる前記無線基地局であって、
前記ユーザ装置と前記他の無線基地局との間の無線リソースを用いた前記スプリットベアラを構成するか否かを示すベアラ構成通知を前記無線基地局に送信する通知送信部を備える無線基地局。
【請求項８】
コアネットワークからセカンダリセルグループを経由するとともに前記セカンダリセルグループに含まれる他の無線基地局からマスタセルグループに含まれる無線基地局に分岐するスプリットベアラが設定され、前記スプリットベアラを経由してユーザ装置にデータが送信される無線通信システムに含まれる前記無線基地局であって、
前記ユーザ装置と前記他の無線基地局との間の無線リソースを用いた前記スプリットベアラを構成するか否かを示すベアラ構成通知を前記他の無線基地局から受信する通知受信部と、
前記通知受信部が受信した前記ベアラ構成通知に基づいて、前記スプリットベアラを設定するベアラ設定部と
を備える無線基地局。
【発明の詳細な説明】
【技術分野】
【０００１】
本発明は、スプリットベアラを設定する無線通信システム及び無線基地局に関する。
【背景技術】
【０００２】
3rd Generation Partnership Project（3GPP）は、Long Term Evolution（LTE）を仕様化し、LTEのさらなる高速化を目的としてLTE-Advanced（以下、LTE-Advancedを含めてLTEという）を仕様化している。また、3GPPでは、さらに、5G New Radio（NR）などと呼ばれるLTEの後継システムの仕様が検討されている。【０００３】
具体的には、非特許文献１では、LTE方式の無線基地局と、NR方式の無線基地局とを用いたデュアルコネクティビティ（DC）では、マスタセルグループ（MCG）、またはセカンダリセルグループ（SCG）を経由した複数のベアラ構成（スプリットベアラ（SCG Split bearer）など）が検討されている。【０００４】
例えば、マスタノード（MN）がLTE方式の無線基地局（以下、MeNB）であり、セカンダリノード（SN）がNR方式の無線基地局（以下、SgNB）であるDCにおいて、コアネットワーク（EPC(Evolved Packet Core)）〜SgNB〜MeNBを経由してユーザ装置（UE）と設定されるSCG Split bearerの構成（ここでは、便宜上”Option 2x”と呼ぶ）が検討されている。つまり、Option 2xの構成では、UE〜SgNB間の無線リソースは用いられない。【０００５】
このようなSCG Split bearerの構成を採用すれば、UEが、SgNBが形成するセルのカバレッジ外に移動した場合でも、コアネットワーク〜SgNB区間のパスについては引き続き利用することができるため、コアネットワーク〜SgNB区間のパスを、コアネットワーク〜MeNBのパスに切り替える、つまり、ベアラ構成を変更する必要がない。このため、コアネットワークなどに対する負荷も低減し得る。【０００６】
特に、NRの導入初期においては、カバレッジの小さいスポット的なセルがSgNBによって形成されることが想定される。つまり、UEは、当該セルに対して頻繁に出入りすると考えられるため、このようなSCG Split bearer（Option 2x）の構成は、コアネットワークなどに対する負荷及びシグナリング量の低減の観点から、特に有用であると考えられる。
【先行技術文献】
【非特許文献】
【０００７】
【非特許文献１】“LS on supported bearer types in DC”, R2-1712050, 3GPP TSG-RAN WG2 Meeting #99bis, 3GPP, 2017年10月
【発明の概要】
【０００８】
上述したようなSCG Split bearer（Option 2x）の構成を適用する場合、SgNBは、通常のSCG Split bearer、具体的には、コアネットワーク〜SgNB〜UE区間と、SgNBからMeNBに分岐し、コアネットワーク〜SgNB〜MeNB〜UE区間との両区間が設定されるスプリットベアラ（ここでは、便宜上”Option 3x”と呼ぶ）に加えて、SCG Split bearer（Option 2x）を用い得る。
【０００９】
しかしながら、MeNBは、SgNBが何れのSCG Split bearer（Option 2xまたはOption 3x）の構成を用いるかを認識することができない。このため、MeNBは、SgNBがOption 2xの構成を用いることができるにも関わらず、SgNBが形成するセルのカバレッジ外にUEが移動した場合には、コアネットワーク〜SgNB区間のパスを、コアネットワーク〜MeNBのパスに切り替えてしまう、つまり、ベアラ構成を変更してしまうことが懸念される。
【００１０】
そこで、本発明は、このような状況に鑑みてなされたものであり、セカンダリノード（SgNB）がコアネットワーク〜SgNB〜MeNB〜UE区間のみで設定されるスプリットベアラを用いる場合において、マスタノード（MeNB）による不必要なベアラ構成の変更を防止し得る無線通信システム及び無線基地局の提供を目的とする。
【００１１】
本発明の一態様は、コアネットワーク（コアネットワーク20）からセカンダリセルグループを経由するとともに前記セカンダリセルグループに含まれる他の無線基地局（gNB100B）からマスタセルグループに含まれる無線基地局（eNB100A）に分岐するスプリットベアラ（スプリットベアラBSP）が設定され、前記スプリットベアラを経由してユーザ装置（UE200）にデータが送信される無線通信システム（無線通信システム10）であって、前記他の無線基地局は、前記ユーザ装置と前記他の無線基地局との間の無線リソースを用いた前記スプリットベアラを構成するか否かを示すベアラ構成通知（Use of SCG Radio Resource）を前記無線基地局に送信する通知送信部（SN通知送信部131）を備え、前記無線基地局は、前記ベアラ構成通知を受信する通知受信部（SN通知受信部130）と、前記通知受信部が受信した前記ベアラ構成通知に基づいて、前記スプリットベアラを設定するベアラ設定部（ベアラ設定部140）とを備える。
【００１２】
本発明の一態様は、コアネットワークからセカンダリセルグループを経由するとともに前記セカンダリセルグループに含まれる無線基地局（gNB100B）からマスタセルグループに含まれる他の無線基地局（eNB100A）に分岐するスプリットベアラが設定され、前記スプリットベアラを経由してユーザ装置にデータが送信される無線通信システムに含まれる前記無線基地局であって、前記ユーザ装置と前記他の無線基地局との間の無線リソースを用いた前記スプリットベアラを構成するか否かを示すベアラ構成通知を前記無線基地局に送信する通知送信部を備える。
【００１３】
本発明の一態様は、コアネットワークからセカンダリセルグループを経由するとともに前記セカンダリセルグループに含まれる他の無線基地局（gNB100B）からマスタセルグループに含まれる無線基地局（eNB100A）に分岐するスプリットベアラが設定され、前記スプリットベアラを経由してユーザ装置にデータが送信される無線通信システムに含まれる前記無線基地局であって、前記ユーザ装置と前記他の無線基地局との間の無線リソースを用いた前記スプリットベアラを構成するか否かを示すベアラ構成通知を前記他の無線基地局から受信する通知受信部と、前記通知受信部が受信した前記ベアラ構成通知に基づいて、前記スプリットベアラを設定するベアラ設定部とを備える。
【図面の簡単な説明】
【００１４】
【図１】図１は、無線通信システム10の全体概略構成図である。
【図２Ａ】図２Ａは、無線通信システム10において設定されるスプリットベアラ（MCG Split Bearer）の構成を示す図である。
【図２Ｂ】図２Ｂは、無線通信システム10において設定されるスプリットベアラ（SCG Split bearer, Option 2x）の構成を示す図である。
【図２Ｃ】図２Ｃは、無線通信システム10において設定されるスプリットベアラ（SCG Split bearer, Option 3x）の構成を示す図である。
【図３】図３は、eNB100Aの機能ブロック構成図である。
【図４】図４は、gNB100Bの機能ブロック構成図である。
【図５】図５は、SgNBを追加する手順（SgNB Addition Preparation）において、ベアラ構成通知（Use of SCG Radio Resource）を送信するシーケンス（動作例１）を示す図である。
【図６】図６は、SgNBの構成を変更する手順（MeNB initiated SgNB Modification Preparation）において、ベアラ構成通知（Use of SCG Radio Resource）を送信するシーケンス（動作例２）を示す図である。
【図７】図７は、SgNBの構成を変更する手順（SgNB initiated SgNB Modification）において、ベアラ構成通知（Use of SCG Radio Resource）を送信するシーケンス（動作例３）を示す図である。
【図８】図８は、eNB100A及びgNB100Bのハードウェア構成の一例を示す図である。
【発明を実施するための形態】
【００１５】
以下、実施形態を図面に基づいて説明する。なお、同一の機能や構成には、同一または類似の符号を付して、その説明を適宜省略する。
【００１６】
（１）無線通信システムの全体概略構成
図１は、本実施形態に係る無線通信システム10の全体概略構成図である。無線通信システム10は、Long Term Evolution（LTE）及び5G New Radio（NR）に従った無線通信システムであり、コアネットワーク20及びユーザ装置200（以下、UE200）を含む。コアネットワーク20には、無線基地局100A（以下、eNB100A）及び無線基地局100B（以下、gNB100B）が接続される。
【００１７】
コアネットワーク20は、LTE方式のコアネットワーク（EPC(Evolved Packet Core)）でもよいし、NR方式のコアネットワーク（NextGen Core）でもよい。
【００１８】
本実施形態では、eNB100Aは、LTE方式の無線基地局（eNB）であり、マスタノードを構成することができる。以下、eNB100Aは、MeNBまたはMNと適宜表記する。gNB100Bは、NR方式の無線基地局（gNB）であり、セカンダリノードを構成することができる。以下、gNB100Bは、SgNBまたはSNと適宜表記する。
【００１９】
無線通信システム10では、UE200が、eNB100AとgNB100Bとで同時に無線接続が可能なデュアルコネクティビティ（DC）が提供される。
【００２０】
eNB100Aは、セルC1を形成する。gNB100Bは、セルC2を形成する。本実施形態では、セルC1はマクロセルであり、セルC2はスモールセルである。つまり、セルC2のサイズは、セルC1よりも小さい。なお、セルC1及びセルC2は、それぞれ複数形成されてもよい。
【００２１】
eNB100Aが形成するセルC1によって、マスタセルグループ（MCG）が構成される。また、gNB100Bが形成するセルC2によって、セカンダリセルグループ（SCG）が構成される。
【００２２】
eNB100A及びgNB100Bは、S1-Uインタフェースを介してコアネットワーク20（EPC）に接続される。また、eNB100AとgNB100Bとは、Xインタフェース（Xx/Xn）を介して接続される。LTEにおいては、X2インタフェースが典型的な基地局間インタフェースである。
【００２３】
図２Ａ〜図２Ｃは、無線通信システム10において設定されるスプリットベアラの構成を示す。本実施形態では、コアネットワーク20からセカンダリセルグループ（SCG）を経由するとともに当該セカンダリセルグループからマスタセルグループ（MCG）に含まれる無線基地局（eNB100A）に分岐するスプリットベアラBSP、具体的には、SCG Split bearerが設定される。
【００２４】
具体的には、図２Ａは、コアネットワーク20〜eNB100A（MeNB）〜gNB100B（SgNB）〜UE200を経由するベアラ（MCG Split Bearer）の構成を示す。当該ベアラは、便宜上、”Option 2c”と呼ばれてもよい。
【００２５】
図２Ｂは、コアネットワーク20〜gNB100B（SgNB）〜eNB100A（MeNB）〜UE200を経由するベアラ（SCG Split bearer）の構成を示す。当該ベアラでは、UE200〜gNB100B間の無線リソース（SCG Radio ResourceまたはNR Radio Resourceと呼ぶ）は用いられていない。当該ベアラは、便宜上、Option 2x、或いはSN anchored bearerと呼ばれてもよい。
【００２６】
図２Ｃは、図２Ｂのベアラの構成に加え、さらにUE200〜gNB100B間が設定されているベアラ（SCG Split bearer）の構成を示す。つまり、当該ベアラでは、UE200〜gNB100B間の無線リソースが用いられる。当該ベアラは、便宜上、Option 3xと呼ばれてもよい。
【００２７】
（２）無線通信システムの機能ブロック構成
次に、無線通信システム10の機能ブロック構成について説明する。具体的には、eNB100A及びgNB100Bの機能ブロック構成について説明する。
【００２８】
（２．１）eNB100A
図３は、eNB100Aの機能ブロック構成図である。図３に示すように、eNB100Aは、無線通信部110、SN指示送信部120、SN通知受信部130、ベアラ設定部140及び通信インタフェース部150を備える。
【００２９】
無線通信部110は、LTE方式に従った無線通信を実行する。具体的には、無線通信部110は、UE200とLTE方式に従った無線信号を送受信する。当該無線信号には、ユーザデータ及び／または制御データが多重される。
【００３０】
SN指示送信部120は、gNB100B（SN）に対する各種指示を送信する。具体的には、SN指示送信部120は、UE200とgNB100B（他の無線基地局に相当）との間の無線リソースを用いたスプリットベアラBSPを構成するか否かを指示するベアラ構成指示をgNB100Bに送信する。
【００３１】
より具体的には、SN指示送信部120は、情報要素（IE）であるUse of SCG Radio Resourceを含むノード間メッセージをgNB100Bに送信する。ノード間メッセージとは、E-UTRAN-NR Dual Connectivity（EN-DC）において、MeNB〜SgNB間において送受信されるメッセージ（3GPP TS37．340参照）である。
【００３２】
具体的には、SN指示送信部120は、SgNBを追加する手順（SgNB Addition Preparation）において、Use of SCG Radio Resourceを含むSGNB ADDITION REQUESTを送信することができる。
【００３３】
また、SN指示送信部120は、SgNBの構成を変更する手順（MeNB initiated SgNB Modification Preparation）において、Use of SCG Radio Resourceを含むSGNB MODIFICATION REQUESTを送信することができる。なお、SN指示送信部120は、SgNBの構成を変更する手順の一種であるMeNB initiated SgNB Release において、Use of SCG Radio Resourceを含むSGNB RELEASE REQUESTを送信してもよい。
【００３４】
なお、Use of SCG Radio Resourceの具体的な内容については、さらに後述する。
【００３５】
SN通知受信部130は、gNB100B（SN）からの各種通知を受信する。具体的には、SN通知受信部130は、gNB100BにおけるスプリットベアラBSPの構成に関する通知を受信する。
【００３６】
より具体的には、SN通知受信部130は、UE200とgNB100Bとの間の無線リソース（周波数、時間及び空間など）を用いたスプリットベアラBSPを構成するか否かを示すベアラ構成通知を受信する。
【００３７】
つまり、ベアラ構成通知とは、コアネットワーク20、gNB100B、eNB100A及びUE200の区間のみで設定されるスプリットベアラBSP（図２Ｂに示したOption 2x）を用いるか否かを示す。
【００３８】
具体的には、SN通知受信部130は、SGNB ADDITION REQUESTに対する応答として、Use of SCG Radio Resourceを含むSGNB ADDITION REQUEST ACKNOWLEDGEをgNB100Bから受信することができる。
【００３９】
また、SN通知受信部130は、SGNB MODIFICATION REQUESTに対する応答として、Use of SCG Radio Resourceを含むSGNB MODIFICATION REQUEST ACKNOWLEDGEをgNB100Bから受信することができる。
【００４０】
なお、SN通知受信部130は、Use of SCG Radio Resourceを含むSGNB MODIFICATION REQUIRED、Use of SCG Radio Resourceを含むSGNB CHANGE REQUIRED、またはUse of SCG Radio Resourceを含むSGNB RELEASE REQUIREDをgNB100Bから受信してもよい。
【００４１】
ベアラ設定部140は、SN通知受信部130が受信したベアラ構成通知（Use of SCG Radio Resource）に基づいて、スプリットベアラBSPを設定する。
【００４２】
具体的には、ベアラ設定部140は、gNB100Bから受信したUse of SCG Radio Resourceによって、UE200とgNB100Bとの間の無線リソースを用いたスプリットベアラBSPを構成することが示されている場合、gNB100Bが図２Ｂ及び図２Ｃに示したスプリットベアラBSP（Option 2x, 3x）を構成できると認識する。
【００４３】
このため、ベアラ設定部140は、UE200がセルC2のカバレッジ外に移動した場合でも、コアネットワーク20〜gNB100B区間のパスを、コアネットワーク20〜eNB100Aのパスに切り替えることなく、スプリットベアラBSPの構成を維持する。つまり、EN-DCを実行中のUE200がセルC2のカバレッジ外に移動した場合でも、図２Ｃに示したスプリットベアラBSP（Option 3x）の構成から、図２Ｂに示したスプリットベアラBSP（Option 2x）に変更されるのみである。
【００４４】
一方、ベアラ設定部140は、gNB100Bから受信したUse of SCG Radio Resourceによって、UE200とgNB100Bとの間の無線リソースを用いたスプリットベアラBSPを構成しない（できない）ことが示されている場合、gNB100Bが図２Ｂに示したスプリットベアラBSP（Option 2x）を構成できないと認識する。
【００４５】
このため、ベアラ設定部140は、UE200がセルC2のカバレッジ外に移動した場合、コアネットワーク20〜gNB100B区間のパスを、コアネットワーク20〜eNB100Aのパスに切り替える。
【００４６】
通信インタフェース部150は、eNB100A〜gNB100B間の通信に必要なインタフェース（Xインタフェース）、及びeNB100A〜コアネットワーク20間の通信に必要なインタフェース（S1-Uインタフェース）を提供する。
【００４７】
（２．２）gNB100B
図４は、gNB100Bの機能ブロック構成図である。図４に示すように、gNB100Bは、無線通信部111、SN指示受信部121、SN通知送信部131及び通信インタフェース部141を備える。
【００４８】
無線通信部111は、NR方式に従った無線通信を実行する。具体的には、無線通信部111は、UE200とNR方式に従った無線信号を送受信する。当該無線信号には、ユーザデータまたは制御データが多重される。
【００４９】
SN指示受信部121は、eNB100Aから送信されたベアラ構成指示を受信する。具体的には、SN指示受信部121は、Use of SCG Radio Resourceを含むノード間メッセージを受信する。
【００５０】
より具体的には、SN指示受信部121は、Use of SCG Radio Resourceを含むSGNB ADDITION REQUEST、またはUse of SCG Radio Resourceを含むSGNB MODIFICATION REQUESTを受信することができる。また、SN指示受信部121は、Use of SCG Radio Resourceを含むSGNB RELEASE REQUESTを受信してもよい。
【００５１】
SN通知送信部131は、UE200とgNB100Bとの間の無線リソース（周波数、時間及び空間など）を用いたスプリットベアラBSPを構成するか否かを示すベアラ構成通知をeNB100Aに送信する。
【００５２】
具体的には、SN通知送信部131は、Use of SCG Radio Resourceを含むSGNB ADDITION REQUEST ACKNOWLEDGE、またはUse of SCG Radio Resourceを含むSGNB MODIFICATION REQUEST ACKNOWLEDGEを送信することができる。
【００５３】
より具体的には、SN通知送信部131は、SGNB ADDITION REQUESTに対する応答として、Use of SCG Radio Resourceを含むSGNB ADDITION REQUEST ACKNOWLEDGEを送信する。同様に、SN通知送信部131は、SGNB MODIFICATION REQUESTに対する応答として、Use of SCG Radio Resourceを含むSGNB MODIFICATION REQUEST ACKNOWLEDGEを送信する。
【００５４】
また、SN通知送信部131は、gNB100Bの構成変更を要求する手順（SgNB initiated SgNB Modification、SgNB ChangeまたはSgNB initiated SgNB Release）において、上述したベアラ構成通知を送信してもよい。
【００５５】
具体的には、SN通知送信部131は、Use of SCG Radio Resourceを含むSGNB MODIFICATION REQUIRED、Use of SCG Radio Resourceを含むSGNB CHANGE REQUIRED、またはUse of SCG Radio Resourceを含むSGNB RELEASE REQUIREDを送信してもよい。
【００５６】
SN通知送信部131は、SN指示受信部121が受信したベアラ構成指示、つまり、Use of SCG Radio Resourceを含むノード間メッセージに応じて、上述したベアラ構成通知を無線基地局に送信することができる。
【００５７】
通信インタフェース部141は、eNB100A〜gNB100B間の通信に必要なインタフェース（Xインタフェース）、及びgNB100B〜コアネットワーク20間の通信に必要なインタフェース（S1-Uインタフェース）を提供する。
【００５８】
（３）無線通信システムの動作
次に、無線通信システム10の動作について説明する。具体的には、eNB100A〜gNB100B間において送受信されるノード間メッセージを用いて、UE200とgNB100Bとの間の無線リソースを用いたスプリットベアラBSPを構成するか否かをgNB100BからeNB100Aに通知する動作について説明する。
【００５９】
なお、以下に示す手順（SgNB Addition Preparation、MeNB initiated SgNB Modification Preparation及びSgNB initiated SgNB Modification）において用いられるノード間メッセージは、3GPP TS37.340などに規定されている。
【００６０】
（３．１）動作例１
図５は、SgNBを追加する手順（SgNB Addition Preparation）において、ベアラ構成通知（Use of SCG Radio Resource）を送信するシーケンス（動作例１）を示す。
【００６１】
図５に示すように、eNB100Aは、Use of SCG Radio Resource（ベアラ構成指示）を含むSGNB ADDITION REQUESTをgNB100Bに送信する。
【００６２】
表１は、SGNB ADDITION REQUESTに含まれるIEであるUse of SCG Radio Resourceの内容を示す。
【００６３】
【表１】
2019097652.tif 000003
【００６４】
表１に示すように、Use of SCG Radio ResourceがTRUEの場合、SCG Radio Resource（表中の”NR Radio Resource”）を用いることを意味し、Use of SCG Radio ResourceがFALSEの場合、SCG Radio Resource（NR Radio Resource）を用いないことを意味する。
【００６５】
また、表１に示すように、SGNB ADDITION REQUESTに含まれるUse of SCG Radio Resourceは、Option（O）である。つまり、SGNB ADDITION REQUESTには、Use of SCG Radio Resourceが含まれていなくても構わない。これにより、eNB100Aは、明示的にSCG Radio Resourceを用いるか否かをgNB100Bに指示することができる。
【００６６】
gNB100Bは、受信したSGNB ADDITION REQUESTに応じて、Use of SCG Radio Resourceを含むSGNB ADDITION REQUEST ACKNOWLEDGEをeNB100Aに返送する。
【００６７】
表２は、SGNB ADDITION REQUEST ACKNOWLEDGEに含まれるIEであるUse of SCG Radio Resourceの内容を示す。
【００６８】
【表２】
2019097652.tif 000004
【００６９】
表２に示すように、Use of SCG Radio ResourceがTRUEの場合、SCG Radio Resource（表中の”NR Radio Resource”）を用いることを意味し、Use of SCG Radio ResourceがFALSEの場合、SCG Radio Resource（NR Radio Resource）を用いないことを意味する。
【００７０】
また、表２に示すように、SGNB ADDITION REQUEST ACKNOWLEDGEに含まれるUse of SCG Radio Resourceは、Mandatory（M）である。つまり、SGNB ADDITION REQUEST ACKNOWLEDGEには、Use of SCG Radio Resourceが必ず含まれる。これにより、gNB100Bは、SCG Radio Resourceを用いるか否かをeNB100Aに通知することができる。
【００７１】
（３．２）動作例２
図６は、SgNBの構成を変更する手順（MeNB initiated SgNB Modification Preparation）において、ベアラ構成通知（Use of SCG Radio Resource）を送信するシーケンス（動作例２）を示す。以下、動作例１と異なる部分について、主に説明する。
【００７２】
図６に示すように、eNB100Aは、Use of SCG Radio Resource（ベアラ構成指示）を含むSGNB MODIFICATION REQUESTをgNB100Bに送信する。
【００７３】
表３は、SGNB MODIFICATION REQUESTに含まれるIEであるUse of SCG Radio Resourceの内容を示す。
【００７４】
【表３】
2019097652.tif 000005
【００７５】
表３に示すように、Use of SCG Radio Resourceの内容は、表１に示したUse of SCG Radio Resourceと概ね同様である。表３に示すように、Use of SCG Radio Resourceは、>E-RABs To Be Added List配下、または>E-RABs To Be Modified List配下に含められる。
【００７６】
gNB100Bは、受信したSGNB MODIFICATION REQUESTに応じて、Use of SCG Radio Resourceを含むSGNB MODIFICATION REQUEST ACKNOWLEDGEをeNB100Aに返送する。
【００７７】
表４は、SGNB MODIFICATION REQUEST ACKNOWLEDGEに含まれるIEであるUse of SCG Radio Resourceの内容を示す。
【００７８】
【表４】
2019097652.tif 000006
【００７９】
（３．３）動作例３
図７は、SgNBの構成を変更する手順（SgNB initiated SgNB Modification）において、ベアラ構成通知（Use of SCG Radio Resource）を送信するシーケンス（動作例２）を示す。以下、動作例１と異なる部分について、主に説明する。
【００８０】
図７に示すように、gNB100Bは、Use of SCG Radio Resource（ベアラ構成通知）を含むSGNB MODIFICATION REQUIREDをgNB100Bに送信する。
【００８１】
表５は、SGNB MODIFICATION REQUIREDに含まれるIEであるUse of SCG Radio Resourceの内容を示す。
【００８２】
【表５】
2019097652.tif 000007
【００８３】
eNB100Aは、受信したSGNB MODIFICATION REQUIREDに基づいて、スプリットベアラBSPの構成を含むgNB100Bの設定を変更する。また、eNB100Aは、受信したSGNB MODIFICATION REQUIREDに応じて、SGNB MODIFICATION CONFIRMをgNB100Bに返送する。
【００８４】
（３．４）他の動作例
gNB100Bは、上述した動作例１〜３に示したノード間メッセージ以外の他のノード間メッセージを用いてUse of SCG Radio ResourceをeNB100Aに通知してもよい。具体的には、上述したように、Use of SCG Radio Resourceを含むSGNB CHANGE REQUIRED、またはUse of SCG Radio Resourceを含むSGNB RELEASE REQUIREDを送信してもよい。
【００８５】
さらに、gNB100Bは、セカンダリセルグループ（SCG）に関連する無線リンクの障害または通信品質の劣化などが発生した場合、上述したメッセージを用いて、UE200とgNB100Bとの間の無線リソースを用いないスプリットベアラBSP（図２Ｂに示したOption 2x）の構成を用い得ることをeNB100Aに通知してもよい。この場合、gNB100Bは、当該障害が復旧、または当該通信品質の劣化が解消次第、UE200とgNB100Bとの間の無線リソースを用いるスプリットベアラBSP（図２Ｃに示したOption 3x）の構成を用い得ることをeNB100Aに通知してもよい
また、eNB100Aは、Use of SCG Radio Resourceを含むSGNB RELEASE REQUESTをgNB100Bに送信してもよい。
【００８６】
（４）作用・効果
上述した実施形態によれば、以下の作用効果が得られる。具体的には、gNB100Bは、UE200とgNB100Bとの間の無線リソースを用いたスプリットベアラBSPを構成するか否かを示すUse of SCG Radio Resource（ベアラ構成通知）を含むノード間メッセージをeNB100Aに送信する。
【００８７】
eNB100Aは、gNB100Bから受信したUse of SCG Radio Resourceに基づいて、スプリットベアラBSPを設定する。
【００８８】
このため、eNB100Aは、gNB100Bが何れのスプリットベアラBSP（Option 2xまたはOption 3x）の構成を用いるかを認識することができる。これにより、gNB100Bが形成するセルC2のカバレッジ外にUE200が移動した場合でも、コアネットワーク20〜gNB100B区間のパスを、コアネットワーク20〜eNB100Aのパスに切り替えてしまう、つまり、ベアラ構成を変更してしまうことを防止し得る。ベアラ構成を変更しないことによって、例えば、コアネットワーク20の処理負荷が低減するなど、有意な技術的効果を奏する。
【００８９】
本実施形態では、eNB100Aは、UE200とgNB100Bとの間の無線リソースを用いたスプリットベアラBSPを構成する否かを指示するUse of SCG Radio Resourceを含むノード間メッセージをeNB100Aに送信することができる。
【００９０】
このため、eNB100A主導によってスプリットベアラBSP（Option 2xまたはOption 3x）の構成を制御し得る。これにより、通信状況などに応じた柔軟性の高いベアラ構成を選択し得る。
【００９１】
本実施形態では、eNB100Aは、gNB100Bを追加する手順またはgNB100Bの構成を変更する手順において、Use of SCG Radio Resourceを含むノード間メッセージを送信することができる。また、gNB100Bも、gNB100Bの構成を変更する手順において、Use of SCG Radio Resourceを含むノード間メッセージを送信することができる。このため、スプリットベアラBSPの構成変更が必要なタイミングで迅速にスプリットベアラBSPの構成を変更し得る。
【００９２】
なお、上述したように、Use of SCG Radio Resourceは、実質的に、コアネットワーク20、gNB100B、eNB100A及びUE200の区間のみで設定されるスプリットベアラBSP（Option 2x）を用いるか否かを示すものとして利用できる。このため、スプリットベアラBSP（Option 2x）への変更を明示的にeNB100Aに認識させることができる。
【００９３】
（５）その他の実施形態
以上、実施形態に沿って本発明の内容を説明したが、本発明はこれらの記載に限定されるものではなく、種々の変形及び改良が可能であることは、当業者には自明である。
【００９４】
例えば、上述した実施形態では、eNB100AがLTE方式の無線基地局（eNB）であり、マスタノードを構成し、gNB100BがNR方式の無線基地局（gNB）であり、セカンダリノードを構成していたが、このような構成は逆でもよい。つまり、NR方式の無線基地局（gNB）がマスタノードを構成し、LTE方式の無線基地局（eNB）がセカンダリノードを構成してもよい。
【００９５】
また、上述した実施形態の説明に用いたブロック図（図３，４）は、機能ブロック図を示している。これらの機能ブロック（構成部）は、ハードウェア及び／またはソフトウェアの任意の組み合わせによって実現される。また、各機能ブロックの実現手段は特に限定されない。すなわち、各機能ブロックは、物理的及び／または論理的に結合した１つの装置により実現されてもよいし、物理的及び／または論理的に分離した２つ以上の装置を直接的及び／または間接的に（例えば、有線及び／または無線）で接続し、これら複数の装置により実現されてもよい。
【００９６】
さらに、上述したeNB100A及びgNB100B（当該装置）は、本発明の送信電力制御の処理を行うコンピュータとして機能してもよい。図８は、当該装置のハードウェア構成の一例を示す図である。図８に示すように、当該装置は、プロセッサ1001、メモリ1002、ストレージ1003、通信装置1004、入力装置1005、出力装置1006及びバス1007などを含むコンピュータ装置として構成されてもよい。
【００９７】
当該装置の各機能ブロック（図３，４参照）は、当該コンピュータ装置の何れかのハードウェア要素、または当該ハードウェア要素の組み合わせによって実現される。
【００９８】
プロセッサ1001は、例えば、オペレーティングシステムを動作させてコンピュータ全体を制御する。プロセッサ1001は、周辺装置とのインタフェース、制御装置、演算装置、レジスタなどを含む中央処理装置（CPU）で構成されてもよい。
【００９９】
メモリ1002は、コンピュータ読み取り可能な記録媒体であり、例えば、ROM（Read Only Memory）、EPROM（Erasable Programmable ROM）、EEPROM（Electrically Erasable Programmable ROM）、RAM（Random Access Memory）などの少なくとも１つで構成されてもよい。メモリ1002は、レジスタ、キャッシュ、メインメモリ（主記憶装置）などと呼ばれてもよい。メモリ1002は、上述した実施形態に係る方法を実行可能なプログラム（プログラムコード）、ソフトウェアモジュールなどを保存することができる。
【０１００】
ストレージ1003は、コンピュータ読み取り可能な記録媒体であり、例えば、CD-ROM（Compact Disc ROM）などの光ディスク、ハードディスクドライブ、フレキシブルディスク、光磁気ディスク（例えば、コンパクトディスク、デジタル多用途ディスク、Blu-ray（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ1003は、補助記憶装置と呼ばれてもよい。上述の記録媒体は、例えば、メモリ1002及び／またはストレージ1003を含むデータベース、サーバその他の適切な媒体であってもよい。
【０１０１】
通信装置1004は、有線及び／または無線ネットワークを介してコンピュータ間の通信を行うためのハードウェア（送受信デバイス）であり、例えばネットワークデバイス、ネットワークコントローラ、ネットワークカード、通信モジュールなどともいう。
【０１０２】
入力装置1005は、外部からの入力を受け付ける入力デバイス（例えば、キーボード、マウス、マイクロフォン、スイッチ、ボタン、センサなど）である。出力装置1006は、外部への出力を実施する出力デバイス（例えば、ディスプレイ、スピーカー、LEDランプなど）である。なお、入力装置1005及び出力装置1006は、一体となった構成（例えば、タッチパネル）であってもよい。
【０１０３】
また、プロセッサ1001及びメモリ1002などの各装置は、情報を通信するためのバス1007で接続される。バス1007は、単一のバスで構成されてもよいし、装置間で異なるバスで構成されてもよい。
【０１０４】
また、情報の通知は、上述した実施形態に限られず、他の方法で行われてもよい。例えば、情報の通知は、物理レイヤシグナリング（例えば、DCI（Downlink Control Information）、UCI（Uplink Control Information））、上位レイヤシグナリング（例えば、RRCシグナリング、MAC（Medium Access Control）シグナリング、報知情報（MIB（Master Information Block）、SIB（System Information Block））、その他の信号またはこれらの組み合わせによって実施されてもよい。また、RRCシグナリングは、RRCメッセージと呼ばれてもよく、例えば、RRC Connection Setupメッセージ、RRC Connection Reconfigurationメッセージなどであってもよい。
【０１０５】
さらに、入出力された情報は、特定の場所（例えば、メモリ）に保存されてもよいし、管理テーブルで管理してもよい。入出力される情報は、上書き、更新、または追記され得る。出力された情報は削除されてもよい。入力された情報は他の装置へ送信されてもよい。
【０１０６】
上述した実施形態におけるシーケンス及びフローチャートなどは、矛盾の無い限り、順序を入れ替えてもよい。
【０１０７】
また、上述した実施形態において、eNB100A（gNB100B、以下同）によって行われるとした特定動作は、他のネットワークノード（装置）によって行われることもある。また、複数の他のネットワークノードの組み合わせによってeNB100Aの機能が提供されても構わない。
【０１０８】
なお、本明細書で説明した用語及び／または本明細書の理解に必要な用語については、同一のまたは類似する意味を有する用語と置き換えてもよい。例えば、該当する記載がある場合、チャネル及び／またはシンボルは信号（シグナル）であってもよい。また、信号はメッセージであってもよい。また、「システム」及び「ネットワーク」という用語は、互換的に使用されてもよい。
【０１０９】
さらに、パラメータなどは、絶対値で表されてもよいし、所定の値からの相対値で表されてもよいし、対応する別の情報で表されてもよい。例えば、無線リソースはインデックスで指示されるものであってもよい。
【０１１０】
eNB100A（基地局）は、１つまたは複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局RRH：Remote Radio Head）によって通信サービスを提供することもできる。
【０１１１】
「セル」または「セクタ」という用語は、このカバレッジにおいて通信サービスを行う基地局、及び／または基地局サブシステムのカバレッジエリアの一部または全体を指す。さらに、「基地局」「eNB」、「セル」、及び「セクタ」という用語は、本明細書では互換的に使用され得る。基地局は、固定局（fixed station）、NodeB、eNodeB（eNB）、gNodeB（gNB）、アクセスポイント（access point）、フェムトセル、スモールセルなどの用語で呼ばれる場合もある。
【０１１２】
UE200は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１１３】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１１４】
また、「含む（including）」、「含んでいる（comprising）」、及びそれらの変形の用語は、「備える」と同様に、包括的であることが意図される。さらに、本明細書或いは特許請求の範囲において使用されている用語「または（or）」は、排他的論理和ではないことが意図される。
【０１１５】
本明細書で使用した「第１」、「第２」などの呼称を使用した要素へのいかなる参照も、それらの要素の量または順序を全般的に限定するものではない。これらの呼称は、２つ以上の要素間を区別する便利な方法として本明細書で使用され得る。したがって、第１及び第２の要素への参照は、２つの要素のみがそこで採用され得ること、または何らかの形で第１の要素が第２の要素に先行しなければならないことを意味しない。
【０１１６】
本明細書の全体において、例えば、英語でのa, an, 及びtheのように、翻訳により冠詞が追加された場合、これらの冠詞は、文脈から明らかにそうではないことが示されていなければ、複数のものを含むものとする。
【０１１７】
上記のように、本発明の実施形態を記載したが、この開示の一部をなす論述及び図面はこの発明を限定するものであると理解すべきではない。この開示から当業者には様々な代替実施の形態、実施例及び運用技術が明らかとなろう。
【産業上の利用可能性】
【０１１８】
上述したように、本発明によれば、
ため、有用である。
【符号の説明】
【０１１９】
10  無線通信システム
20  コアネットワーク
100A  eNB
100B  gNB
110, 111  無線通信部
120  SN指示送信部
121  SN指示受信部
130  SN通知受信部
131  SN通知送信部
140  ベアラ設定部
141  通信インタフェース部
150  通信インタフェース部
200  UE
1001  プロセッサ
1002  メモリ
1003  ストレージ
1004  通信装置
1005  入力装置
1006  出力装置
1007  バス
【図１】
2019097652.tif 000008
【図２Ａ】
2019097652.tif 000009
【図２Ｂ】
2019097652.tif 000010
【図２Ｃ】
2019097652.tif 000011
【図３】
2019097652.tif 000012
【図４】
2019097652.tif 000013
【図５】
2019097652.tif 000014
【図６】
2019097652.tif 000015
【図７】
2019097652.tif 000016
【図８】
2019097652.tif 000017
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
コアネットワークからセカンダリセルグループを経由するとともに前記セカンダリセルグループに含まれる他の無線基地局からマスタセルグループに含まれる無線基地局に分岐するスプリットベアラが設定され、前記スプリットベアラを経由してユーザ装置にデータが送信される無線通信システムであって、
前記他の無線基地局は、前記ユーザ装置と前記他の無線基地局との間の無線リソースを用いた前記スプリットベアラを構成するか否かを示すベアラ構成通知を前記無線基地局に送信する通知送信部を備え、
前記無線基地局は、
前記ベアラ構成通知を受信する通知受信部と、
前記通知受信部が受信した前記ベアラ構成通知に基づいて、前記スプリットベアラを設定するベアラ設定部と
を備える無線通信システム。
【請求項２】
前記無線基地局は、前記ユーザ装置と前記他の無線基地局との間の無線リソースを用いた前記スプリットベアラを構成するか否かを指示するベアラ構成指示を前記他の無線基地局に送信する指示送信部を備え、
前記他の無線基地局は、前記ベアラ構成指示を受信する指示受信部を備え、
前記通知送信部は、前記指示受信部が受信した前記ベアラ構成指示に応じて、前記ベアラ構成通知を前記無線基地局に送信する請求項１に記載の無線通信システム。
【請求項３】
前記指示送信部は、前記他の無線基地局を追加する手順において、前記ベアラ構成指示を送信する請求項２に記載の無線通信システム。
【請求項４】
前記指示送信部は、前記他の無線基地局の構成を変更する手順において、前記ベアラ構成指示を送信する請求項２に記載の無線通信システム。
【請求項５】
前記通知送信部は、前記他の無線基地局の構成変更を要求する手順において、前記ベアラ構成通知を送信する請求項１に記載の無線通信システム。
【請求項６】
前記ベアラ構成通知は、前記コアネットワーク、前記他の無線基地局、前記無線基地局及び前記ユーザ装置の区間のみで設定される前記スプリットベアラを用いるか否かを示す請求項１乃至５の何れか一項に記載の無線通信システム。
【請求項７】
コアネットワークからセカンダリセルグループを経由するとともに前記セカンダリセルグループに含まれる無線基地局からマスタセルグループに含まれる他の無線基地局に分岐するスプリットベアラが設定され、前記スプリットベアラを経由してユーザ装置にデータが送信される無線通信システムに含まれる前記無線基地局であって、
前記ユーザ装置と前記無線基地局との間の無線リソースを用いた前記スプリットベアラを構成するか否かを示すベアラ構成通知を前記他の無線基地局に送信する通知送信部を備える無線基地局。
【請求項８】
コアネットワークからセカンダリセルグループを経由するとともに前記セカンダリセルグループに含まれる他の無線基地局からマスタセルグループに含まれる無線基地局に分岐するスプリットベアラが設定され、前記スプリットベアラを経由してユーザ装置にデータが送信される無線通信システムに含まれる前記無線基地局であって、
前記ユーザ装置と前記他の無線基地局との間の無線リソースを用いた前記スプリットベアラを構成するか否かを示すベアラ構成通知を前記他の無線基地局から受信する通知受信部と、
前記通知受信部が受信した前記ベアラ構成通知に基づいて、前記スプリットベアラを設定するベアラ設定部と
を備える無線基地局。
【請求項９】
端末であって、
コアネットワークからセカンダリセルグループを経由するとともに前記セカンダリセルグループに含まれる無線基地局からマスタセルグループに含まれる他の無線基地局に分岐するスプリットベアラを設定し、
前記スプリットベアラは、前記端末と前記無線基地局との間の無線リソースを用いた前記スプリットベアラを構成するか否かを示すベアラ構成通知が、前記無線基地局から前記他の無線基地局に送信されることに基づいて設定され、
前記スプリットベアラを経由してデータを受信する端末。
【国際調査報告】
2019097652.tif 000018
2019097652.tif 000019
2019097652.tif 000020
2019097652.tif 000021